(57)【特許請求の範囲】
【請求項１】
台板に形成される係止穴に挿通係止して取り付けられ、台板に載せた各種の機器を台板に括り付け固定する物品固定用のベルトを台板に取り付けるための物品固定用ベルトの取付具であって、
ばね材により略門形又は略逆Ｕ字形に形成されてなる本体と、
前記本体の両端に形成され、前記係止穴に挿通係止可能な爪と、
前記本体の内周に略Ｔ字形に形成され、前記ベルトを前記ベルトの両側エッジを略水平方向に向けて通し保持可能なベルト挿通保持部、及び前記ベルトを前記ベルトの両側エッジを略垂直方向に向けて通し前記ベルト挿通保持部に対して挿通案内可能なベルト挿通案内部からなるベルト装着部と、
前記本体の内周の両端間に係合離脱可能に取り付けられ、前記本体の両端間を固定可能なロック部材と、
を備え、
前記本体又は前記各爪を両側から加圧操作することにより前記各爪間を圧縮し、前記各爪を前記係止穴に挿通して、前記各爪の弾性復帰により係止し、前記ロック部材により前記各爪間をロックする、
ことを特徴とする物品固定用ベルトの取付具。
【請求項２】
本体は内部が金属ばね材により外部が合成樹脂ばね材により形成されて一体化される請求項１に記載の物品固定用ベルトの取付具。
【請求項３】
各爪は略Ｌ字形に形成される請求項１又は２に記載の物品固定用ベルトの取付具。
【請求項４】
本体は両端部側の外周の所定の範囲の各面に凹凸部が形成される請求項１乃至３のいずれかに記載の物品固定用ベルトの取付具。
【請求項５】
本体の内周の一端にロック部材の一端部が支承され、前記本体の内周の他端が前記ロック部材の他端部を保持可能に形成され、前記ロック部材は前記本体の内周の両端間に架け渡し保持されるロック位置と前記ロック部材の支承側で前記本体の内周に沿うアンロック位置との間に回動可能に取り付けられる請求項１乃至４のいずれかに記載の物品固定用ベルトの取付具。
【請求項６】
本体の内周の一端側でベルト挿通案内部の片側一方の面それぞれに溝状のロック部材収納部が形成されて前記本体の内周の一端に軸受が設けられ、前記本体の内周の他端にロック部材受け部が断面略円弧状の凹状に形成されて、ロック部材は前記軸受を跨いで前記ロック部材収納部に嵌合可能に略コ字形に形成されて両側部と中間部とからなり、一端部として前記両側部の各端部の内側面にロック部材回転軸が先端縁部を面取りされて内方に突出され、他端部として前記中間部が前記本体の前記ロック部材受け部に係合可能に断面略円弧状に形成されるとともに、前記両側部の外側面にそれぞれつまみが前記本体から外部に突出して設けられる請求項１乃至５のいずれかに記載の物品固定用ベルトの取付具。
【発明の詳細な説明】
【技術分野】
【０００１】
本発明は、ラックの棚板、搬送用のプレートなどの台板に載せた各種の機器を台板に括り付け固定するための物品固定用ベルトを台板に取り付けるのに使用する物品固定用ベルトの取付具に関する。
【背景技術】
【０００２】
一般に、ラックの棚板に載せた各種の機器が地震などによって棚板から落下したり棚板の上で転倒しないように、また、各種の機器を搬送用プレートに載せて搬送したりラックの棚板に載せたまま棚板ごと搬送したりするときに、各種の機器が搬送中の揺れや振動によって搬送用プレートや棚板から落下しないように、各種の機器を物品固定用ベルトを用いて棚板や搬送用プレートに括り付け固定することが行われている。
【０００３】
この種の物品固定用ベルトが特許文献１により提案されている。
この文献１の物品固定用ベルトは、一端に長さ調節用のバックルを有するベルトと、ベルトを棚板や搬送用のプレートなどの台板に取り付けるための取付具とを備える。この場合、取付具は１組２個で２組の連結用金具からなり、各連結用金具が、ベルトを挿通可能なベルト挿通部を有する係止片と、係止片の基端から略直角に屈曲させられる足片とにより断面Ｌ字状に形成され、台板に形成される細長い係止穴に差し込み係止穴の周囲に係止して取り付けるようになっている。
この物品固定用ベルトを用いて、各種の機器を台板に固定するには、まず、各種の機器を載せた台板にベルトを取付具により取り付ける。この場合、まず、４つの連結用金具を２組ずつセットとなるように配置して、すべての連結用金具のベルト挿通部にベルトを挿通して、各連結用金具が台板の下面側に落ちないようにしておく。次いで、１組の連結用金具のうちまず１個の連結用金具の係止片を、指で摘んで足片が下向きになるように倒して、足片を台板の係止孔に嵌め入れた後、係止片を台板と略直角となるように立て起こす。続いて、他方の連結用金具の係止片を指でつまんで一方の係止片を倒した方向と逆の方向に倒し、その足片を同じ箇所の係止孔に嵌め入れた後、係止片を立て起こす。そして、この１組の連結用金具に対してベルトの箇所をもって台板より上方に持ち上げると、一対の連結用金具における係止片は背中合わせ状態に合体化することとなり、２つの足片は、係止孔の下面側にて互いに反対向きに延びるようにして、台板の下面に平行状に当接され、２枚の連結用金具が確実に抜け不能となる。残りの１組の連結用金具も同様とする。
このようにしてベルトを各種の機器の上面側に掛け回し、このベルトの一端に設けたバックルにベルトの他端を差し込んで引張ることにより、２組の連結用金具とベルトとにより各種の機器を倒れ不能に緊縛することができる。
【先行技術文献】
【特許文献】
【０００４】
【特許文献１】特開２０００−１７４４４９公報
【発明の概要】
【発明が解決しようとする課題】
【０００５】
しかしながら、上記従来の物品固定用ベルトでは、ベルトの取付具を台板に取り付ける場合に、１組の連結用金具のうちまず１個の連結用金具の係止片を、指で摘んで足片が下向きになるように倒して、足片を台板の係止孔に嵌め入れた後、係止片を台板と略直角となるように立て起こし、続いて、他方の連結用金具の係止片を指でつまんで一方の係止片を倒した方向と逆の方向に倒し、その足片を同じ箇所の係止孔に嵌め入れた後、係止片を立て起こすことを２組分行うため、取付具の取り付けに多くの手間を要し、ベルトの取付作業が煩雑である、という問題がある。
【０００６】
本発明は、このような従来の問題を解決するもので、この種の物品固定用ベルトの取付具において、台板の係止穴にワンタッチで容易かつ確実に取り付け、さらに、ベルトを通しやすくかつ脱落しにくくして、ベルトの台板への取付作業を簡易かつ迅速に行えること、を目的とする。
【課題を解決するための手段】
【０００７】
上記目的を達成するために、本発明は、
台板に形成される係止穴に挿通係止して取り付けられ、台板に載せた各種の機器を台板に括り付け固定する物品固定用のベルトを台板に取り付けるための物品固定用ベルトの取付具であって、
ばね材により略門形又は略逆Ｕ字形に形成されてなる本体と、
前記本体の両端に形成され、前記係止穴に挿通係止可能な爪と、
前記本体の内周に略Ｔ字形に形成され、前記ベルトを前記ベルトの両側エッジを略水平方向に向けて通し保持可能なベルト挿通保持部、及び前記ベルトを前記ベルトの両側エッジを略垂直方向に向けて通し前記ベルト挿通保持部に対して挿通案内可能なベルト挿通案内部からなるベルト装着部と、
前記本体の内周の両端間に係合離脱可能に取り付けられ、前記本体の両端間を固定可能なロック部材と、
を備え、
前記本体又は前記各爪を両側から加圧操作することにより前記各爪間を圧縮し、前記各爪を前記係止穴に挿通して、前記各爪の弾性復帰により係止し、前記ロック部材により前記各爪間をロックする、
ことを要旨とする。
【０００８】
また、この取付具は次のように具体化される。
（１）本体は内部が金属ばね材により外部が合成樹脂ばね材により形成されて一体化される。
（２）各爪は略Ｌ字形に形成される。
（３）本体は両端部側の外周の所定の範囲の各面に凹凸部が形成される。
（４）本体の内周の一端にロック部材の一端部が支承され、前記本体の内周の他端が前記ロック部材の他端部を保持可能に形成され、前記ロック部材は前記本体の内周の両端間に架け渡し保持されるロック位置と前記ロック部材の支承側で前記本体の内周に沿うアンロック位置との間に回動可能に取り付けられることが好ましい。
また、本体の内周の一端側でベルト挿通案内部の片側一方の面それぞれに溝状のロック部材収納部が形成されて前記本体の内周の一端に軸受が設けられ、前記本体の内周の他端にロック部材受け部が断面略円弧状の凹状に形成されて、ロック部材は前記軸受を跨いで前記ロック部材収納部に嵌合可能に略コ字形に形成されて両側部と中間部とからなり、一端部として前記両側部の各端部の内側面にロック部材回転軸が先端縁部を面取りされて内方に突出され、他端部として前記中間部が前記本体の前記ロック部材受け部に係合可能に断面略円弧状に形成されるとともに、前記両側部の外側面にそれぞれつまみが前記本体から外部に突出して設けられるようにしてもよい。
【発明の効果】
【０００９】
本発明の物品固定用ベルトの固定具によれば、本体がばね材により略門形又は略逆Ｕ字形に形成され、本体の両端に台板の係止穴に挿通係止可能な爪が形成されて、本体又は各爪を両側から加圧操作することにより、各爪間を圧縮して、各爪を係止穴に挿通係止するようにしたので、この取付具を台板の係止穴にワンタッチで容易にかつ確実に取り付けることができ、また、本体の内周に略Ｔ字形に形成され、ベルトをベルトの両側エッジを略水平方向に向けて通し保持可能なベルト挿通保持部、及びベルトをベルトの両側エッジを略垂直方向に向けて通しベルト挿通保持部に対して挿通案内可能なベルト挿通案内部からなるベルト装着部を備えたので、この取付具にベルトを通しやすくかつ脱落しにくくすることができ、この取付具により、ベルトの台板への取付作業を簡易かつ迅速に行うことができる、という本発明独自の格別な効果を奏する。
また、この固定具では、本体の内周の両端間に係合離脱可能に取り付けられ、本体の両端間を固定可能なロック部材を備えることで、このロック部材により、各爪間をロックして、取付具を台板の上面側で係止穴上に完全に抜け止めして設置することができる、という顕著な利点を有する。
【図面の簡単な説明】
【００１０】
【図１】本発明の第１の実施の形態による物品固定用ベルトの取付具の構成を示す図（（ａ）は平面図（ｂ）は底面図（ｃ）は正面図（ｄ）は背面図（ｅ）は左側面図（ｆ）は右側面図）
【図２】同取付具の特に本体の構成を示す図（一部断面正面図）
【図３】同取付具の特に本体内部の構成を示す図（（ａ）は平面図（ｂ）は底面図（ｃ）は正面図（ｄ）は背面図（ｅ）は左側面図（ｆ）は右側面図）
【図４】同取付具の使用例として取付具を台板の係止穴に取り付ける状態を示す図（斜視図）
【図５】同取付具の使用例として台板の係止穴に取り付けた取付具にベルトを通す状態を示す図（側面図）
【図６】同取付具の使用例として台板に取付具を介して取り付けたベルトにより台板上に載せた各種の機器を括り固定する状態を示す図（側面図）
【図７】本発明の第２の実施の形態による物品固定用ベルトの取付具の構成を示す図（（ａ）は平面図（ｂ）は底面図（ｃ）は正面図（ｄ）は背面図（ｅ）は左側面図（ｆ）は右側面図）
【図８】同取付具の特に本体の構成を示す図（（ａ）は一部断面正面図（ｂ）は斜視図）
【図９】同取付具の特に本体内部の構成を示す図（（ａ）は正面図（ｂ）は側面図）
【図１０】同取付具の特にロック部材の構成を示す図（（ａ）は斜視図（ｂ）は平面図（ｃ）は正面図（ｄ）は正面断面図（Ａ−Ａ線断面図）（ｅ）は側面図）
【図１１】同取付具のロック部材の機能を示す図（（ａ）は同取付具がロック解除状態の正面図（ｂ）は同取付具がロック状態の正面図）
【図１２】同取付具の使用例として取付具を台板の係止穴に取り付ける状態を示す図（（１）は同取付具がロック状態の斜視図（２）は同取付具がロック解除状態の斜視図）
【図１３】同取付具の使用例として台板の係止穴に取り付けた取付具にベルトを通す状態を示す図（側面図）
【図１４】同取付具の使用例として台板に取付具を介して取り付けたベルトにより台板上に載せた各種の機器を括り固定する状態を示す図（側面図）
【発明を実施するための形態】
【００１１】
次に、この発明を実施するための形態について図を用いて説明する。
なお、次の各実施の形態の中で例示する台板Ｐはラックの棚板、物品の搬送用プレートなどの比較的薄い板で、係止穴Ｐ０は台板Ｐ上の各種の機器をベルトで固定するのに適した台板Ｐの板面所定の複数の位置に横長の長方形に貫通形成される。また、ベルトＢは各種の機器を括り固定するのに用いられる一般的なもので、ナイロン（ポリアミド）製のベルトＢと、ベルトＢの一端に設けられる長さ調節用のバックルＢ１とを有してなる。
【００１２】
図１乃至図３に第１の実施の形態を示している。
図１に示すように、物品固定用ベルトの取付具Ｃ１は、ラックの棚板、搬送用プレートなどの台板に形成される係止穴に挿通係止して取り付けられ、台板に載せた各種の機器を台板に括り付け固定する物品固定用のベルトを台板に取り付けるためのもので、ばね材により略門形に形成されてなる本体１と、本体１の両端に形成され、台板の係止穴に挿通係止可能な爪２と、本体１の内周に略Ｔ字形に形成され、ベルトをベルトの両側エッジを略水平方向に向けて通し保持可能なベルト挿通保持部３１、及びベルトをベルトの両側エッジを略垂直方向に向けて通しベルト挿通保持部３１に対して挿通案内可能なベルト挿通案内部３２からなるベルト装着部３とを備えて構成される。
【００１３】
この取付具Ｃ１は、図２に示すように、インサート成形により本体１の内部（本体内部１Ａ）が金属ばね材により本体１の外部（本体外部１Ｂ）が合成樹脂ばね材により形成されて一体化され、各爪２は本体１の両端部の延長上に略Ｌ字形に形成され、ベルト装着部３はベルト挿通案内部３２の幅が爪２側の端部で狭く、当該端部からベルト挿通保持部３１側の端部に向けて漸次拡開される。
ここで、本体内部１Ａは、図３に示すように、金属ばね材としてばね用ステンレス鋼などのばね鋼により、略門形に形成された２つの門形フレーム１０Ｆからなる。各門形フレーム１０Ｆは、台板の係止穴の長さ、幅よりも少し大きい長さ、幅を有する水平方向フレーム１０１、及び水平方向フレーム１０１の両端からこのフレーム１０１に対して直角に延びる、水平方向フレーム１０１よりも少し長く、水平方向フレーム１０１と同じ幅の一対の垂直方向フレーム１０２と、各垂直方向フレーム１０２の一方の側縁部で、水平方向フレーム１０１の高さより少し下がった位置から端部までの側縁部から内方に突出されて垂直方向に延び、縦に長い略台形状の一対の垂直方向プレート１０３とにより構成され、各垂直方向プレート１０３はさらに各端部が門形フレーム１０Ｆの各端部よりも延長されて略Ｌ字形に形成される。この場合、各垂直方向プレート１０３の上部は各垂直方向フレーム１０２側から内方に向けて少し下方斜めに形成される。各垂直方向プレート１０３の内側縁部の下部側は各垂直方向フレーム１０２と平行に形成される。これら垂直方向プレート１０３の各延長端部は内側縁部が垂直方向プレート１０３の内側縁部を延長して形成され、その下部が円弧状に形成されて下端部に回り込み、外側縁部は垂直方向プレート１０３の外側縁部の延長上で、各垂直方向フレーム１０２の直下に凹部２０及び凸部２１を順次形成され、下部を斜め（テーパ形状２２）に形成されて下端部に連続し、延長端部の下端部は略水平に形成される。このような２つの門形フレーム１０Ｆは各垂直方向プレート１０３を当接されて対称的に重合され、各垂直方向プレート１０３がスポット溶接により固着されて接合される。このようにして本体内部１Ａにおいて内周が略Ｔ字形に形成されて、水平方向フレーム１０１と各垂直方向フレーム１０２及び各垂直方向プレート１０３との間にベルト挿通保持部（３１）が画成され、各垂直方向プレート１０３間に幅が下部側の端部で狭く、下部側の端部から上部側の端部に向けて漸次拡開されてベルト挿通保持部（１０３）に連通するベルト挿通案内部（３２）が画成される。
また、本体外部１Ｂは、図２に示すように、合成樹脂ばね材としてＰＯＭ（ポリアセタール）やＰＡ（ポリアミド）などのばね性の高い合成樹脂材料により、所定の肉厚を有する略門形に形成されて、水平方向フレーム１０１をその形状に沿って被覆する水平方向被覆部１１、及び水平方向被覆部１１の両端からこの被覆部１１に対して直角に延び、各垂直方向フレーム１０２を各垂直方向プレート１０３（但し、延長端部を除く。）とともにその形状に沿って被覆する一対の垂直方向被覆部１２からなる。この場合、水平方向被覆部１１は内周の両端が少し凹状となるように湾曲して形成される。各垂直方向被覆部１２は略台形に形成され、上部は各垂直方向フレーム１０２側から内方に向けて少し下方斜めに形成され、各内側縁部の下部側は各垂直方向フレーム１０２と平行に形成される。このようにして本体外部１Ｂにおいて内周が略Ｔ字形に形成されて、水平方向被覆部１１と各垂直方向被覆部１２との間にベルト挿通保持部３１が両端を凹状に湾曲して画成され、各垂直方向被覆部１２間に幅が下部側の端部で狭く、下部側の端部から上部側の端部に向けて漸次拡開されてベルト挿通保持部３１に連通するベルト挿通案内部３２が画成される。
また、この本体外部１Ｂにおいては、各垂直方向被覆部１２の両端部側で外周と内周との間の所定の範囲の各面が本体外部１Ｂの両端部に向けて漸次本体内部１Ａ方向に斜めに形成され、これらの斜めの面は、この取付具Ｃ１の使用時においてこの取付具Ｃ１がベルトにより斜めに引張られる場合にこの取付具Ｃ１をその引張り方向に傾倒案内するための傾倒ガイド１３をなす。なお、各垂直方向被覆部１２の下端部は幅狭の略水平に形成される。また、各垂直方向被覆部１２のベルト挿通案内部３２の両側の面はそれぞれ相互に外周側から内周側に向けて漸次本体内部１Ａ方向に斜めに形成されて、この取付具Ｃ１の使用時においてベルトをこの取付具のベルト装着部３に案内するためのベルト装着ガイド１４をなす。さらに、各垂直方向被覆部１２の両端部側で外周の所定の範囲が末広がりに湾曲された面に形成され、これら各面に凹凸部が形成されて、この取付具Ｃ１の使用時において本体１を両側から加圧操作するための操作部１５をなす。
【００１４】
このように本体１は本体１の内部（本体内部１Ａ）が金属ばね材により本体１の外部（本体外部１Ｂ）が合成樹脂ばね材により形成されて一体化され、全体が略門形に形成され、各爪２は本体内部１Ａの両端部を延長して外向きのＬ字形に形成されて本体外部１Ｂの両端端部から突出され、各爪２の外側縁部下部には先細（下部が幅狭で上部方向に漸次幅広）のテーパ形状２２を付けられ、ベルト装着部３は本体外部１Ｂの内周が本体内部１Ａとともに略Ｔ字形に形成されて、本体１の上部側にベルトをベルトの両側エッジを略水平方向に向けて通し保持可能なベルト挿通保持部３１が設けられ、本体１の幅中央に垂直方向にベルトをベルトの両側エッジを略垂直方向に向けて通しベルト挿通保持部３１に対して挿通案内可能なベルト挿通案内部３２が設けられる。
また、この本体１には、併せて、本体外部１Ｂの両端部側の外周と内周との間の所定の範囲の各面が本体外部１Ｂの両端部に向けて漸次本体内部１Ａ方向に斜めに形成されて、傾倒ガイド１３が設けられ、ベルト挿通案内部３２の両側の面がそれぞれ外周側から内周側に向けて相互に漸次本体内部１Ａ方向に斜めに形成されて、ベルト装着ガイド１４が設けられ、本体外部１Ｂの両端部側の外周の所定の範囲の各面が末広がりに湾曲され、これら各面に凹凸部が形成されて、操作部１５が設けられる。
【００１５】
この取付具Ｃ１はこのような構成からなり、本体１又は各爪２を両側から加圧操作することにより各爪２間を圧縮し、各爪２を係止穴に挿通して、各爪２の弾性復帰により係止するようになっている。
図４、図５及び図６に、台板Ｐに取付具を介して物品固定用のベルトＢを台板Ｐに取り付け、ベルトＢにより台板Ｐに載せた各種の機器を括り付け固定する場合の、この取付具Ｃ１の使用例を示している。
図４に示すように、まず、取付具Ｃ１を台板Ｐに取り付ける。この場合、取付具Ｃ１を手に取り、本体１両端部外周の操作部１５を指先で挟持し、本体１を両側から加圧操作する。このとき、操作部１５の面には凹凸部が形成されているので、指先に馴染みすく、操作がしやすい。この加圧操作により、本体外部１Ｂの垂直方向被覆部１２が本体内部１Ａの各垂直方向フレーム１０２とともに本体１の内周方向に変位されて、本体１両端部から突出される各爪２間が圧縮され、この状態で、各爪２を台板Ｐの係止穴Ｐ０に差し込む。各爪２を係止穴Ｐ０に通したら、本体１の加圧操作を解く。これにより、本体外部１Ｂの各垂直方向被覆部１２が本体内部１Ａの各垂直方向フレーム１０２とともに元の状態に弾性復帰され、これにより、各爪２が台板Ｐの下面側で係止穴Ｐ０の周囲、この場合、係止穴Ｐ０の両端縁部に係合されて、取付具Ｃ１は台板Ｐの上面側で係止穴Ｐ０上に抜け止めされて設置される。
また、この取付具Ｃ１は次のようにしても台板Ｐに取り付けることができる。
この取付具Ｃ１は各爪２の外側縁部の下部がテーパ形状２２になっているので、取付具Ｃ１を手に持ち、各爪２を台板Ｐの係止穴Ｐ０上に合わせ、取付具Ｃ１全体を上から押し込むことにより、各爪２が係止穴Ｐ０の両端縁部に加圧されて各爪２間が漸次圧縮され、各爪２の外側縁部の各凸部２１が係止穴Ｐ０の両端縁部を乗り超えたところで、各爪２が弾性復帰して外側縁部の各凹部２０が係止穴Ｐ０の両端縁部に係合され、取付具Ｃ１は係止穴Ｐ０上に抜け止めされて設置される。
したがって、この取付具Ｃ１は台板Ｐの係止穴Ｐ０にワンタッチで取り付けることができる。このようにして取付具Ｃ１を使用するベルトＢの数に応じた数だけ（通常、１つのベルトＢに付き２個）、台板Ｐの所定の位置に取り付ける。
次に、図５に示すように、台板Ｐに取り付けた各取付具Ｃ１にベルトＢを通す。この場合、ベルトＢをベルトＢの両側エッジを概ね垂直方向に向けて取付具Ｃ１のベルト挿通案内部３２に差し込み、ベルト挿通保持部３１に移動する。このとき、ベルトＢを取付具本体１の上部側のベルト挿通保持部３１に直接挿通してもよいが、ベルト挿通案内部３２の両側の面がそれぞれ外周側から内周側に向けて相互に本体内部１Ａ方向に斜めに形成されてベルト装着ガイド１４になっているので（図２参照）、ベルトＢをベルト挿通案内部３２に導入しやすく、また、ベルト挿通案内部３２は幅が下部側の端部で狭く、下部側の端部から上部側の端部に向けて漸次拡開されてベルト挿通保持部３１に連通されているので、（図２参照）ベルトＢをこのベルト挿通案内部３２に差し込みしやすく、ベルトＢをベルト挿通案内部３２に差し込んでしまえば、このベルト挿通案内部３２を案内にしてベルト挿通保持部３１に簡単に通すことができる。また、ベルト挿通保持部３１の両端が凹状に湾曲しているので（図２参照）、この部分のスペースをベルトＢの逃げとして用いることにより、ベルトＢをベルト挿通保持部３１に簡単に入れることができる。なお、ベルトＢは、取付具Ｃ１を台板Ｐに取り付ける前に予め、取付具Ｃ１のベルト挿通保持部３１に通しておいてもよい。この場合でも、ベルトＢを各爪２間の開放部分を通じて、ベルト挿通案内部３２に通し、このベルト挿通案内部３２を案内にして、ベルト挿通保持部３１に移動することで、ベルトＢをベルト挿通保持部３１に簡単に入れることができる。このようにしてベルトＢをベルト挿通保持部３１に入れると、ベルトＢはベルト挿通保持部３１内で、本体外部１Ｂの水平方向被覆部１１と各垂直方向被覆部１２、特に垂直方向プレート１０３の被覆部との間に挟持されて確実に保持され、脱落することがない。
そして、図６に示すように、ベルトＢにより台板Ｐに載せた各種の機器を括り付け固定する。この場合、ベルトＢを各種の機器の上面側に掛け回し、このベルトＢの一端に設けたバックルＢ１にベルトＢの他端を差し込んで引張ることにより、各取付具Ｃ１とベルトＢとにより各種の機器を確実に固定することができる。また、この機器の固定に当たり、ベルトＢを引っ張るときに、この取付具Ｃ１の各垂直方向被覆部１２の両端部側で外周と内周との間の所定の範囲の各面が本体外部１Ｂの両端部に向けて漸次本体内部１Ａ方向に斜めに形成されて傾倒ガイド１３になっているので（図５参照）、この取付具Ｃ１がベルトＢの引張り方向に傾倒案内されるため、ベルトＢを各種の機器に確実に括り付けることができる。
【００１６】
以上説明したように、この固定具Ｃ１によれば、図１に示すように、本体１がばね材により略門形に形成され、本体１の両端に台板Ｐの係止穴Ｐ０に挿通係止可能な爪２が形成されて、本体１又は各爪２を両側から加圧操作することにより各爪２間を圧縮し、各爪２を係止穴Ｐ０に挿通して、各爪２の弾性復帰により係止するようにしたので、この取付具Ｃ１を台板Ｐの係止穴Ｐ０にワンタッチで容易にかつ確実に取り付けることができる。また、本体１の内周に略Ｔ字形に形成され、ベルトＢをベルトＢの両側エッジを略水平方向に向けて通し保持可能なベルト挿通保持部３１、及びベルトＢをベルトＢの両側エッジを略垂直方向に向けて通しベルト挿通保持部３１に対して挿通案内可能なベルト挿通案内部３２からなるベルト装着部３を備えたので、この取付具Ｃ１にベルトＢを通しやすくかつ脱落しにくくすることができ、この取付具Ｃ１により、ベルトＢの台板Ｐへの取付作業を簡易かつ迅速に行うことができる。
【００１７】
また、この取付部Ｃ１は、さらに次のような利点を有する。
（１）取付具Ｃ１は、図２に示すように、本体内部１Ａが金属ばね材により本体外部１Ｂが合成樹脂ばね材により形成されて一体化されるので、取付具Ｃ１のデザインの自由度や意匠的美観を高めることができる。
（２）取付具Ｃ１の各爪２は、図２に示すように、略Ｌ字形に形成されるので、この取付具Ｃ１の本体１又は各爪２を両側から加圧操作して係止穴Ｐ０に挿通係止するだけで、取付具Ｃ１を台板Ｐに簡単に取り付けることができる。
（３）取付具Ｃ１の本体１は、図２に示すように、両端部側の外周の所定の範囲の各面に凹凸部が形成されて操作部１５になっているので、操作部１５が指先に馴染みすく、操作がしやすい。
（４）取付具Ｃ１の本体１は、図２に示すように、ベルト挿通案内部３２の両側の面がそれぞれ外周側から内周側に向けて相互に漸次本体内部１Ａ方向に斜めに形成されてベルト装着ガイド１４になっているので、ベルトＢをベルト挿通案内部３２に導入しやすい。
（５）取付具Ｃ１のベルト装着部３は、図２に示すように、ベルト挿通案内部３２の幅が爪２側の端部で狭く、当該端部からベルト挿通保持部３１側の端部に向けて漸次拡開されるので、ベルトＢをこのベルト挿通案内部３２を案内にしてベルト挿通保持部３１に、より簡単にかつ確実に通すことができる。
（６）取付具Ｃ１の本体１は、図２に示すように、両端部側の外周と内周との間の所定の範囲の各面が本体外部１Ｂの両端部に向けて漸次本体内部１Ａ方向に斜めに形成されて、傾倒ガイド１３になっているので、台板Ｐに載せた各種の機器にベルトＢを括り付け引張る際に、この取付具Ｃ１が傾倒ガイド１３を案内にしてベルトＢの引張り方向に傾倒されるため、ベルトＢを各種の機器に確実に括り付け固定することができる。
【００１８】
図７乃至図１１に第２の実施の形態を示している。
図７に示すように、物品固定用ベルトの取付具Ｃ２は、ラックの棚板、搬送用プレートなどの台板に形成される係止穴に挿通係止して取り付けられ、台板に載せた各種の機器を台板に括り付け固定する物品固定用のベルトを台板に取り付けるためのもので、ばね材により略門形に形成されてなる本体４と、本体４の両端に形成され、台板の係止穴に挿通係止可能な爪５と、本体４の内周に略Ｔ字形に形成され、ベルトをベルトの両側エッジを略水平方向に向けて通し保持可能なベルト挿通保持部６１、及びベルトをベルトの両側エッジを略垂直方向に向けて通しベルト挿通保持部６１に対して挿通案内可能なベルト挿通案内部６２からなるベルト装着部６と、本体４の内周の両端間に係合離脱可能に取り付けられ、本体４の両端間を固定可能なロック部材７とを備えて構成される。
【００１９】
この取付具Ｃ２は、図８に示すように、インサート成形により本体４の内部（本体内部４Ａ）が金属ばね材により本体４の外部（本体外部４Ｂ）が合成樹脂ばね材により形成されて一体化され、各爪５は本体４の両端部の延長上に略Ｌ字形に形成され、ベルト装着部６はベルト挿通案内部６２の幅が爪５側の端部側で狭く、ベルト挿通保持部６１側の端部側で広くなっている。
ここで、本体内部４Ａは、図９に示すように、金属ばね材としてばね用ステンレス鋼などのばね鋼により、略Ｊ字形に形成された２つのプレート４０Ｆからなる。各プレート４０Ｆは、第１の実施の形態における垂直方向プレート１０３と略同じ大きさで垂直方向プレート１０３の略２倍の厚みを有し、各垂直方向プレート１０３と同様に、下端部が延長されて略Ｌ字形に形成される。この場合、各プレート４０Ｆの上部は略水平で、内側の角部は直角に形成され、外側の角部はＲが付けられる。各プレート４０Ｆの内側縁部は上部側が略垂直方向に延び、中間部が円弧状で、この円弧状の中間部を介して下部側が少し側方に突き出されて略垂直方向に延びる。下端の延長部は内側縁部がプレート４０Ｆの内側縁部を延長して形成され、その下部が円弧状に形成されて下端部に回り込み、外側縁部はプレート４０Ｆの外側縁部の延長上で、プレート４０Ｆの下端部から凹部５０及び凸部５１を順次形成され、下部を斜め（テーパ形状５２）に形成されて下端部に連続し、下端延長部の下端部は略水平に形成される。このようにして本体内部４Ａは２つのプレート４０Ｆが左右対称に配置されて略Ｔ字形の内周の一部として形成され、本体外部４Ｂとともに各プレート４０Ｆの上部側にベルト挿通保持部（６１）が形成され、各プレート４０Ｆ間に幅が下部側の端部側で狭く、上部側の端部側で広いベルト挿通保持部（６１）に連通するベルト挿通案内部（６２）が形成される。
また、本体外部４Ｂは、図８に示すように、合成樹脂ばね材としてＰＯＭ（ポリアセタール）やＰＡ（ポリアミド）などのばね性の高い合成樹脂材料により、所定の肉厚を有する略門形に形成されて、本体４の水平方向の部分を形成する水平方向形成部４１、及び水平方向形成部４１の両端からこの形成部４１に対して直角に延び、各プレート４０Ｆ（但し、延長端部を除く。）をその形状に沿って被覆して各プレート４０Ｆとともに本体４の一対の垂直方向の部分を形成する一対の垂直方向形成部４２からなる。この場合、水平方向形成部４１は内周の両端が少し半円状となるように湾曲して形成される。各垂直方向形成部４２は略台形に形成され、上部は略水平に、各内側縁部は基本形状として略Ｊ字形（但し、一方の内側縁部は反転状態の略Ｊ字形）に形成され、各内側縁部に後述のとおりロック部材収納部４６、軸受４８、ロック部材受け部４９などロック部材７の取付部が付加される。このようにして本体外部１Ｂにおいて内周が略Ｔ字形に形成され、水平方向形成部４１と各垂直方向形成部４２との間にベルト挿通保持部６１が両端を半円状に湾曲して画成され、各垂直方向形成部４２間に幅が下部側の端部側で狭く、上部側の端部側で広く形成されて、ベルト挿通保持部６１に連通するベルト挿通案内部６２が画成される。
また、この本体外部４Ｂでは、各垂直方向形成部４２のベルト挿通案内部６２の両側の面がそれぞれ平坦状に形成される。また、各垂直方向形成部４２の両端部側で外周と内周との間の所定の範囲の各面は本体外部４Ｂの両端部に向けて漸次本体内部４Ａ方向に斜めに形成され、これらの斜めの面は、この取付具Ｃ２の使用時においてこの取付具Ｃ２がベルトにより斜めに引張られる場合にこの取付具Ｃ２をその引張り方向に傾倒案内するための傾倒ガイド４３をなす。なお、各垂直方向形成部４２の下端部は幅狭の略水平に形成される。さらに、各垂直方向形成部４２の両端部側で外周の所定の範囲が末広がりに湾曲された面に形成され、これら各面に凹凸部が形成されて、この取付具Ｃ２の使用時において本体４を両側から加圧操作するための操作部４５をなす。
【００２０】
このように本体４は本体４の内部（本体内部４Ａ）が金属ばね材により本体４の外部（本体外部４Ｂ）が合成樹脂ばね材により形成されて一体化され、全体が略門形に形成され、各爪５は本体内部４Ａの両端部を延長して外向きのＬ字形に形成されて本体外部４Ｂの両端端部から突出され、各爪５の外側縁部下部には先細（下部が幅狭で上部方向に漸次幅広）のテーパ形状５２を付けられ、ベルト装着部６は本体外部４Ｂの内周が本体内部４Ａとともに略Ｔ字形に形成されて、本体４の上部側にベルトをベルトの両側エッジを略水平方向に向けて通し保持可能なベルト挿通保持部６１が設けられ、本体４の幅中央に垂直方向にベルトをベルトの両側エッジを略垂直方向に向けて通しベルト挿通保持部６１に対して挿通案内可能なベルト挿通案内部６２が設けられる。
また、この本体４には、併せて、本体外部４Ｂの両端部側の外周と内周との間の所定の範囲の各面が本体外部４Ｂの両端部に向けて漸次本体内部４Ａ方向に斜めに形成されて、傾倒ガイド４３が設けられ、本体外部４Ｂの両端部側の外周の所定の範囲の各面が末広がりに湾曲され、これら各面に凹凸部が形成されて、操作部４５が設けられる。
【００２１】
ロック部材７は、図７に示すように、一端部が本体４の内周の一端に支承され、本体４の内周の他端がロック部材７の他端部を保持可能に形成されて、ロック部材７は本体４の内周の両端間に架け渡し保持されるロック位置とロック部材７の支承側で本体４の内周に沿うアンロック位置との間に回動可能に取り付けられる。
この場合、図８に示すように、本体４の内周の一端側でベルト挿通案内部６１の片側一方の面、ここでは右側の前後の各面で上下方向中間部にそれぞれ、本体内部４Ａの右側一方のプレート４０Ｆの略Ｊ字形の内側縁部に沿って略Ｊ字形に溝状のロック部材収納部４６が形成されるとともに、右側の前後の各面間に本体内部４Ａの右側一方のプレート４０Ｆの略Ｊ字形の内側縁部の下半部に沿って上部が角柱形に下部が円柱形に凸状部４７が形成され、円柱形の凸状部４７の前後の各面に円形の凹部４７０（又は前後の各面間を貫通する円形の孔）が形成されて（これが軸受４８となし）、本体４の内周の一端に軸受４８が設けられる。また、本体４の内周の他端にはロック部材受け部４９として断面略円弧状の凹部が形成される。ロック部材７は、図１０に示すように、ロック部材収納部４６下部の軸受４８を跨いで、この場合、角柱形、円柱形の凸状部４７を跨いで、ロック部材収納部４６に嵌合可能に略コ字形に形成されて両側部７１と中間部７２とからなり、一端部として両側部７１の各端部の内側面にロック部材回転軸７１０が先端縁部を面取りされて内方に突出され、他端部として中間部７２が本体４のロック部材受け部４９に係合可能に断面略円弧状に形成されるとともに、両側部７１の外側面にそれぞれつまみ７１１が翼状に本体４のベルト挿通案内部６２の両側の前後の各面から外部に突出して設けられる。
このようにしてロック部材７は、図１１に示すように、一端部の各ロック部材回転軸７１０が本体４のロック部材収納部４６下部の軸受４８に嵌挿されて、ロック部材収納部４６に収納可能にかつ他端部の中間部７２が本体４のロック部材受け部４９に嵌合されて本体４の内周の両端間に架け渡し保持可能に取り付けられ、本体４の内周の両端間に架け渡し保持されるロック位置とロック部材７の支承側で本体４の内周に沿うアンロック位置との間に回動可能に配置される。このロック部材７の本体４への取り付けの際は、ロック部材７のロック部材回転軸７１０の先端縁部が面取りされて内方に向けて斜めに傾斜されているので（図１０（ｅ）参照）、軸受４８の凹部４７０内に差し込みしやすく、ロック部材７の取り付けをワンタッチで行うことができる。
【００２２】
この取付具Ｃ２はこのような構成からなり、本体４の内周の両端間からロック部材７を離脱させて、つまり、ロック部材収納部４６に収納し、本体４又は各爪５を両側から加圧操作することにより各爪５間を圧縮し、各爪５を係止穴に挿通して、各爪５の弾性復帰により係止穴の縁部に係止し、本体４の内周の両端間にロック部材７を係合させて、各爪５間をロックするようになっている。
図１２、図１３及び図１４に、台板Ｐに取付具を介して物品固定用のベルトＢを台板Ｐに取り付け、ベルトＢにより台板Ｐに載せた各種の機器を括り付け固定する場合の、この取付具Ｃ２の使用例を示している。
図１２に示すように、まず、取付具Ｃ２を台板Ｐに取り付ける。この場合、取付具Ｃ２を手に取り、図１２（１）、（２）に示すように、まず、ロック部材７のつまみ７１１をつまみ、軸受４８を回動中心として回動させてロック部材受け部４９から外し、ロック部材収納部４６に収納する。このとき、つまみ７１１が本体４の両側に突出されているので、指先に掛かりやすく、操作がしやすい。そして、本体４両端部外周の操作部４５を指先で挟持し、本体４を両側から加圧操作する。このとき、操作部４５の面には凹凸部が形成されているので、指先に馴染みすく、操作がしやすい。この加圧操作により、本体外部４Ｂの垂直方向形成部４２が本体内部４Ａの各プレート４０Ｆとともに本体４の内周方向に変位されて、本体４両端部から突出される各爪５間が圧縮され、この状態で、各爪５を台板Ｐの係止穴Ｐ０に差し込む。各爪５を係止穴Ｐ０に通したら、本体４の加圧操作を解く。これにより、本体外部４Ｂの各垂直方向形成部４２が本体内部４Ａの各プレート４０Ｆとともに元の状態に弾性復帰され、これにより、各爪５が台板Ｐの下面側で係止穴Ｐ０の周囲、この場合、係止穴Ｐ０の両端縁部に係合されて、取付具Ｃ２は台板Ｐの上面側で係止穴Ｐ０上に抜け止めされて設置される。このとき、さらに、ロック部材７のつまみ７１１をつまみ、ロック部材収納部４６からロック部材受け部４９に向けて回動し、回動側の中間部７２を本体のロック部材受け部４９に嵌合させて、本体４の内周の両端間に架け渡し、この本体４の内周の両端間でのロック部材７の突っ張り支持により、各爪５間をロックする。これにより、取付具Ｃ２は台板Ｐの上面側で係止穴Ｐ０上に完全に抜け止めされて設置される。
また、この取付具Ｃ２は次のようにしても台板Ｐに取り付けることができる。
この取付具Ｃ２は各爪５の外側縁部の下部がテーパ形状５２になっているので、取付具Ｃ２を手に持ち、各爪５を台板Ｐの係止穴Ｐ０上に合わせ、取付具Ｃ２全体を上から押し込むことにより、各爪５が係止穴Ｐ０の両端縁部に加圧されて各爪５間が漸次圧縮され、各爪５の外側縁部の各凸部５１が係止穴Ｐ０の両端縁部を乗り超えたところで、各爪５が弾性復帰して外側縁部の各凹部５０が係止穴Ｐ０の両端縁部に係合され、取付具Ｃ２は係止穴Ｐ０上に抜け止めされて設置される。この場合も、ロック部材７のつまみ７１１をつまみ、ロック部材収納部４６からロック部材受け部４９に向けて回動し、回動側の中間部７２を本体のロック部材受け部４９に嵌合させて、本体４の内周の両端間に架け渡し、この本体４の内周の両端間でのロック部材７の突っ張り支持により、各爪５間をロックする。これにより、取付具Ｃ２は台板Ｐの上面側で係止穴Ｐ０上に完全に抜け止めされて設置される。
したがって、この取付具Ｃ２は台板Ｐの係止穴Ｐ０にワンタッチで取り付けることができ、しかも、ロック部材７のロックにより、取付具Ｃ２を台板Ｐの係止穴Ｐ０から完全に抜け止めすることができる。このようにして取付具Ｃ２を使用するベルトＢの数に応じた数だけ（通常、１つのベルトＢに付き２個）、台板Ｐの所定の位置に取り付ける。
次に、図１３に示すように、台板Ｐに取り付けた各取付具Ｃ２にベルトＢを通す。この場合、ベルトＢをベルトＢの両側エッジを概ね垂直方向に向けて取付具Ｃ２のベルト挿通案内部６２に差し込み、ベルト挿通保持部６１に移動する。このとき、ベルトＢを取付具本体４の上部側のベルト挿通保持部６１に直接挿通してもよいが、ベルト挿通案内部６２は幅が下部側の端部側で狭く、上部側の端部側で広くなってベルト挿通保持部３１に連通されているので、（図８参照）ベルトＢをこのベルト挿通案内部６２に差し込みしやすく、ベルトＢをベルト挿通案内部６２に差し込んでしまえば、このベルト挿通案内部６２を案内にしてベルト挿通保持部６１に簡単に通すことができる。なお、ベルトＢは、取付具Ｃ２を台板Ｐに取り付ける前に予め、取付具Ｃ２のベルト挿通保持部６１に通しておいてもよい。この場合でも、ベルトＢを各爪５間の開放部分を通じて、ベルト挿通案内部６２に通し、このベルト挿通案内部６２を案内にして、ベルト挿通保持部６１に移動することで、ベルトＢをベルト挿通保持部６１に簡単に入れることができる。このようにしてベルトＢをベルト挿通保持部６１に入れると、ベルトＢはベルト挿通保持部６１内で、本体外部４Ｂの水平方向形成部４１と各垂直方向形成部４２との間に挟持されて確実に保持され、脱落することがない。
そして、図１４に示すように、ベルトＢにより台板Ｐに載せた各種の機器を括り付け固定する。この場合、ベルトＢを各種の機器の上面側に掛け回し、このベルトＢの一端に設けたバックルＢ１にベルトＢの他端を差し込んで引張ることにより、各取付具Ｃ２とベルトＢとにより各種の機器を確実に固定することができる。また、この機器の固定に当たり、ベルトＢを引っ張るときに、この取付具Ｃ２の各垂直方向形成部４２の両端部側で外周と内周との間の所定の範囲の各面が本体外部４Ｂの両端部に向けて漸次本体内部４Ａ方向に斜めに形成されて傾倒ガイド４３になっているので（図１３参照）、この取付具Ｃ２がベルトＢの引張り方向に傾倒案内されるため、ベルトＢを各種の機器に確実に括り付けることができる。
【００２３】
以上説明したように、この固定具Ｃ２によれば、図７に示すように、本体４がばね材により略門形に形成され、本体４の両端に台板Ｐの係止穴Ｐ０に挿通係止可能な爪５が形成されて、本体４又は各爪５を両側から加圧操作することにより各爪５間を圧縮し、各爪５を係止穴Ｐ０に挿通して、各爪５の弾性復帰により係止するようにしたので、この取付具Ｃ２を台板Ｐの係止穴Ｐ０にワンタッチで容易にかつ確実に取り付けることができる。また、本体４の内周に略Ｔ字形に形成され、ベルトＢをベルトＢの両側エッジを略水平方向に向けて通し保持可能なベルト挿通保持部６１、及びベルトＢをベルトＢの両側エッジを略垂直方向に向けて通しベルト挿通保持部６１に対して挿通案内可能なベルト挿通案内部６２からなるベルト装着部６を備えたので、この取付具Ｃ２にベルトＢを通しやすくかつ脱落しにくくすることができ、この取付具Ｃ２により、ベルトＢの台板Ｐへの取付作業を簡易かつ迅速に行うことができる。
【００２４】
また、この取付部Ｃ２は、さらに次のような利点を有する。
（１）取付具Ｃ２は、図８に示すように、本体内部４Ａが金属ばね材により本体外部４Ｂが合成樹脂ばね材により形成されて一体化されるので、取付具Ｃ２のデザインの自由度や意匠的美観を高めることができる。
（２）取付具Ｃ２の各爪５は、図８に示すように、略Ｌ字形に形成されるので、この取付具Ｃ２の本体４又は各爪５を両側から加圧操作して係止穴Ｐ０に挿通係止するだけで、取付具Ｃ２を台板Ｐに簡単に取り付けることができる。
（３）取付具Ｃ２の本体４は、図８に示すように、両端部側の外周の所定の範囲の各面に凹凸部が形成されて操作部４５になっているので、操作部４５が指先に馴染みすく、操作がしやすい。
（４）取付具Ｃ２のベルト装着部６は、図８に示すように、ベルト挿通案内部６２の幅が爪５側の端部側で狭く、ベルト挿通保持部６１側の端部側で広くなっているので、ベルトＢをこのベルト挿通案内部６２を案内にしてベルト挿通保持部６１に、より簡単にかつ確実に通すことができる。
（５）取付具Ｃ２の本体４は、図８に示すように、両端部側の外周と内周との間の所定の範囲の各面が本体外部４Ｂの両端部に向けて漸次本体内部４Ａ方向に斜めに形成されて、傾倒ガイド４３になっているので、台板Ｐに載せた各種の機器にベルトＢを括り付け引張る際に、この取付具Ｃ２が傾倒ガイド４３を案内にしてベルトＢの引張り方向に傾倒されるため、ベルトＢを各種の機器に確実に括り付け固定することができる。
（６）この取付具Ｃ２では、図７に示すように、本体４の内周の両端間に係合離脱可能に取り付けられ、本体４の両端間を固定可能なロック部材７を備えたので、このロック部材７により、各爪５間をロックして、取付具Ｃ２を台板Ｐの上面側で係止穴Ｐ０上に完全に抜け止めして設置することができる。
この場合、本体４の内周の一端にロック部材７の一端部が支承され、本体４の内周の他端がロック部材７の他端部を保持可能に形成され、ロック部材７は本体４の内周の両端間に架け渡し保持されるロック位置とロック部材の支承側で本体４の内周に沿うアンロック位置との間に回動可能に取り付けられるので、ロック部材７のロック操作を簡単に行うことができ、また、ロック部材７が本体４から外れることがないので、ロック部材７を紛失することがない。
また、この場合、図８に示すように、本体４の内周の一端側でベルト挿通案内部６２の片側一方の面にそれぞれ溝状のロック部材収納部４６が形成されて本体４の内周の一端に軸受４８が設けられ、本体４の内周の他端にロック部材受け部４９が断面略円弧状の凹状に形成されて、ロック部材７は、図１０に示すように、軸受４８を跨いでロック部材収納部４６に嵌合可能に略コ字形に形成されて両側部７１と中間部７１１とからなり、一端部として両側部７１１の各端部の内側面にロック部材回転軸７１０が先端縁部を面取りされて内方に突出され、他端部として中間部７２が本体４のロック部材受け部４９に係合可能に断面略円弧状に形成されるとともに、両側部７１の外側面にそれぞれつまみ７１１が本体４から外部に突出して設けられるので、ロック部材７を簡単な構造にして操作を容易に行うことができ、特に、つまみ７１１が本体４の両側に突出されることで、これが指先に掛かりやすく、ロック部材７の操作がよりしやすくなり、また、ロック部材７のロック部材回転軸７１０の先端縁部が面取りされて内方に向けて斜めに傾斜されていることで、ロック部材７の本体４への取り付けの際に、ロック部材回転軸７１０を軸受４８の凹部４７０内に差し込みしやすく、ロック部材７の取り付けを容易に行うことができる。
なお、このロック部材７により、各爪５間をロックすることで、ベルトＢを台板Ｐから取り外したときに、この取付具Ｃ２をベルトＢから取り外さない限り、ベルトＢに付けたままにすることもでき、取付具Ｃ２をベルトＢとともに持ち運びすることができる。
【００２５】
なお、第１、第２の各実施の形態では、本体を略門形としたが、略Ｕ字形、又はこれらの形状に類する他の形状に代えてもよく、このようにしても上記と同様の作用効果を得ることができる。
また、第２の実施の形態においては、ロック部材を回動式としたが、本体の内周の両端間、あるいは各爪間を固定できるものであれば、その動作形式は任意であり、どのような動作形式であっても、第２の実施の形態と同様の作用効果を得ることができる。また、本体の内周の両端にガイド部材の受け部を設けて、ガイド部材を着脱式に取り付けるようにしてもよいが、この場合、第２の実施の形態に比べて、ガイド部材の紛失の恐れがある点で多少劣後するものの、このようにしても第２の実施の形態と概ね同様の作用効果を得ることができる。
【符号の説明】
【００２６】
Ｃ１  取付具
１  本体
１Ａ  本体内部
１０Ｆ  門形フレーム
１０１  水平方向フレーム
１０２  垂直方向フレーム
１０３  垂直方向プレート
１Ｂ  本体外部
１１  水平方向被覆部
１２  垂直方向被覆部
１３  傾倒ガイド
１４  ベルト装着ガイド
１５  操作部
２  爪
２０  凹部
２１  凸部
２２  テーパ形状
３  ベルト装着部
３１  ベルト挿通保持部
３２  ベルト挿通案内部
Ｃ２  取付具
４  本体
４Ａ  本体内部
４０Ｆ  プレート
４Ｂ  本体外部
４１  水平方向形成部
４２  垂直方向形成部
４３  傾倒ガイド
４５  操作部
４６  ロック部材収納部
４７  凸状部
４７０  凹部
４８  軸受
４９  ロック部材受け部
５  爪
５０  凹部
５１  凸部
５２  テーパ形状
６  ベルト装着部
６１  ベルト挿通保持部
６２  ベルト挿通案内部
７  ロック部材
７１  側部
７１０  ロック部材回転軸
７１１  つまみ
７２  中間部
Ｐ  台板
Ｐ０  係止穴
Ｂ  ベルト
Ｂ１  バックル
【図１】
0006692163.tif 000002
【図２】
0006692163.tif 000003
【図３】
0006692163.tif 000004
【図４】
0006692163.tif 000005
【図５】
0006692163.tif 000006
【図６】
0006692163.tif 000007
【図７】
0006692163.tif 000008
【図８】
0006692163.tif 000009
【図９】
0006692163.tif 000010
【図１０】
0006692163.tif 000011
【図１１】
0006692163.tif 000012
【図１２】
0006692163.tif 000013
【図１３】
0006692163.tif 000014
【図１４】
0006692163.tif 000015